(57)【要約】【課題】携帯端末の消費電力を抑制しつつ、ユーザが処理ゾーンを通り抜ける短時間内に、携帯端末と処理装置とがデータの送受信を確実に行う。【解決手段】電界伝達媒体を介して通信する電界通信を用いたウォークスルーシステムであって、携帯端末１と、携帯端末１のポーリング間隔を変更する設定装置４と、第１のトランシーバ９と、第１のトランシーバ９に接続された処理装置８とを有し、携帯端末１は、第１のポーリング間隔で識別情報を送信する送信手段２と、設定装置４が送信する設定情報を受信して、第１のポーリング間隔を当該第１のポーリング間隔より短い第２のポーリング間隔に変更する変更手段２と、第２のトランシーバ３と、を有する。【選択図】図１
2008085917.tif 000002
【特許請求の範囲】
【請求項１】
電界伝達媒体を介して通信する電界通信を用いたウォークスルーシステムであって、
ユーザが携帯する携帯端末と、前記携帯端末のポーリング間隔を変更する設定装置と、送信すべき情報に基づく電界を電界伝達媒体に誘起させるとともにこの誘起した電界を検出して情報の送受信を行う第１のトランシーバと、前記第１のトランシーバに接続された処理装置と、を有し、
前記ユーザは、前記設定装置が設置された設定ゾーンを通過したあと、前記処理装置および第１のトランシーバが設置された処理ゾーンに到達し、
前記携帯端末は、
第１のポーリング間隔で識別情報を送信する送信手段と、
前記設定装置が送信する設定情報を受信して、第１のポーリング間隔を当該第１のポーリング間隔より短い第２のポーリング間隔に変更する変更手段と、
送信すべき情報に基づく電界を電界伝達媒体に誘起させるとともにこの誘起した電界を検出して情報の送受信を行う第２のトランシーバと、を有し、
前記設定装置は、
前記携帯端末のポーリング間隔を変更させるための設定情報を、前記携帯端末に送信する設定情報送信手段と、
送信すべき情報に基づく電界を電界伝達媒体に誘起させて情報の送信を行う第３のトランシーバと、を有し、
前記ユーザが前記設定装置に接触することにより、前記携帯端末は、第３のトランシーバ、電界伝達媒体であるユーザ、および第２のトランシーバを介して、前記設定装置から設定情報を受信し、
前記ユーザが前記第１のトランシーバに接触することにより、前記処理装置は、前記第２のトランシーバ、電界伝達媒体であるユーザ、および第１のトランシーバを介して、前記携帯端末から識別情報を受信して、当該識別情報を用いて所定の処理を実行すること
を特徴とするウォークスルーシステム。
【請求項２】
請求項１記載のウォークスルーシステムであって、
前記携帯端末の変更手段は、前記設定装置から設定条件を受信してから所定の時間が経過した後、第２のポーリング間隔から第１のポーリング間隔に戻すこと
を特徴とするウォークスルーシステム。
【請求項３】
請求項１記載のウォークスルーシステムであって、
前記携帯端末の変更手段は、前記設定装置から設定条件を受信してから所定の回数、識別情報を送信した後、第２のポーリング間隔から第１のポーリング間隔に戻すこと
を特徴とするウォークスルーシステム。
【請求項４】
電界伝達媒体を介して通信する電界通信を用いたウォークスルーシステムであって、
ユーザが携帯する携帯端末と、前記携帯端末のポーリング間隔を変更する設定装置と、送信すべき情報に基づく電界を電界伝達媒体に誘起させるとともにこの誘起した電界を検出して情報の送受信を行う第１のトランシーバと、前記第１のトランシーバに接続された処理装置と、を有し、
前記ユーザは、前記設定装置が設置された設定ゾーンを通過したあと、前記処理装置および第１のトランシーバが設置された処理ゾーンに到達し、
前記携帯端末は、
複数のアプリケーションを実行する業務処理手段と、
前記設定装置が送信する設定情報を受信して、当該設定情報で指定されたアプリケーションを起動して前記業務処理手段に実行させるとともに、前記業務処理手段のポーリング間隔を短く変更する変更手段と、
送信すべき情報に基づく電界を電界伝達媒体に誘起させるとともにこの誘起した電界を検出して情報の送受信を行う第２のトランシーバと、を有し、
前記設定装置は、
所定のアプリケーションを前記携帯端末に起動させるとともに、ポーリング間隔を変更させるための前記設定情報を、前記携帯端末に送信する設定情報送信手段と、
送信すべき情報に基づく電界を電界伝達媒体に誘起させて情報の送信を行う第３のトランシーバと、を有し、
前記ユーザが前記設定装置に接触することにより、前記携帯端末は、第３のトランシーバ、電界伝達媒体であるユーザ、および第２のトランシーバを介して、前記設定装置から設定情報を受信し、
前記ユーザが前記第１のトランシーバに接触することにより、前記処理装置は、前記第２のトランシーバ、電界伝達媒体であるユーザ、および第１のトランシーバを介して、前記携帯端末と通信し、所定の処理を実行すること
を特徴とするウォークスルーシステム。
【請求項５】
請求項４記載のウォークスルーシステムであって、
前記設定装置が送信する設定情報には、ポーリング間隔が含まれ、
前記携帯端末の変更手段は、設定情報で指定されたポーリング間隔に変更すること
を特徴とするウォークスルーシステム。
【請求項６】
請求項４記載のウォークスルーシステムであって、
前記設定装置が送信する設定情報には、変更したポーリング間隔を元に戻す終了タイミングが含まれ、
前記携帯端末の変更手段は、設定情報で指定された終了タイミングで、変更したポーリング間隔に元のポーリング間隔に戻すこと
を特徴とするウォークスルーシステム。
【請求項７】
電界伝達媒体を介して通信する電界通信を用いたウォークスルーシステムにおける携帯端末であって、
第１のポーリング間隔で識別情報を送信する送信手段と、
設定装置が送信する設定情報を受信して、第１のポーリング間隔を当該第１のポーリング間隔より短い第２のポーリング間隔に変更する変更手段と、
送信すべき情報に基づく電界を電界伝達媒体に誘起させるとともにこの誘起した電界を検出して情報の送受信を行うトランシーバと、を有し、
携帯端末を携帯したユーザが前記設定装置に接触することにより、前記携帯端末は、前記設定装置が備えるトランシーバ、電界伝達媒体であるユーザ、および当該携帯端末のトランシーバを介して、前記設定装置から設定情報を受信すること
を特徴とする携帯端末。
【請求項８】
電界伝達媒体を介して通信する電界通信を用いたウォークスルーシステムにおける携帯端末であって、
複数のアプリケーションを実行する業務処理手段と、
設定装置が送信する設定情報を受信して、当該設定情報で指定されたアプリケーションを起動し前記業務処理手段に実行させるとともに、前記業務処理手段のポーリング間隔を短く変更する変更手段と、
送信すべき情報に基づく電界を電界伝達媒体に誘起させるとともにこの誘起した電界を検出して情報の送受信を行うトランシーバと、を有し、
携帯端末を携帯したユーザが前記設定装置に接触することにより、前記携帯端末は、前記設定装置が備えるトランシーバ、電界伝達媒体であるユーザ、および当該携帯端末のトランシーバを介して、前記設定装置から設定情報を受信すること
を特徴とする携帯端末。
【発明の詳細な説明】
【技術分野】
【０００１】
本発明は、送信すべき情報に基づく電界を電界伝達媒体に誘起させるとともにこの誘起した電界を検出して情報の送受信を行うトランシーバを用いたウォークスルーシステムに関する。
【背景技術】
【０００２】
携帯端末の小型化および高性能化によりウェアラブルコンピュータが注目されているが、図１１はこのようなウェアラブルコンピュータを人間に装着して使用する場合の例を示している。同図に示すように、ウェアラブルコンピュータ７はそれぞれトランシーバ９を介して人間の腕、肩、胴体などに装着されて互いにデータの送受信を行うとともに、更に手足の先端で触れられるよう壁や床に設けられたトランシーバ９ａ、９ｂとケーブルとを介して外部に設けられたパソコン（ＰＣ）８と通信を行っている。
【０００３】
ここで、このようなウェアラブルコンピュータ７間、およびウェアラブルコンピュータ７とパソコン８間とのデータ通信に使用されるトランシーバ９は、レーザ光と電気光学結晶を用いた電気光学的手法による信号検出技術を利用していて、送信すべき情報に基づく電界を電界伝達媒体である生体に誘起させ、この誘起した電界を用いて情報の送受信を行うものである。なお、トランシーバ９については、特許文献１に記載されている。
【０００４】
また、ポーリング間隔を制御する技術としては、例えば、特許文献２および特許文献３に記載されている。
【特許文献１】特開２００１−３５２２９８号公報
【特許文献２】特開２００３−１２４９４０号公報
【特許文献３】特開平９−１８２１３７号公報
【発明の開示】
【発明が解決しようとする課題】
【０００５】
上述したトランシーバ９は、ウェアラブルコンピュータ７とともに人間の腕、肩、胴体などに装着され、使用される。すなわち、トランシーバ９を装着したユーザが、コンピュータ（パソコン８、サーバなど）と接続されたトランシーバ９ａに手や足で触れることにより、ウェアラブルコンピュータ７とパソコン８との間に通信路が形成され、コンピュータとウェアラブルコンピュータ７との間で情報の送受信が行われる。
【０００６】
ここで、ウェアラブルコンピュータ７が一定のポーリング間隔で所定のデータをコンピュータに送信するものとする。この場合、ユーザが立ち止まって、コンピュータに接続されたトランシーバ９ａに一定時間、接触できる状態においては、ポーリング間隔が多少長くてもデータの送信を行うことができる。
【０００７】
しかしながら、改札などのゲートを通り抜ける際に所定の処理を行うウォークスルーシステムの場合には、ウェアラブルコンピュータ７のポーリング間隔を短く設定する必要がある。すなわち、ポーリング間隔が長いと、ゲートを通り抜ける瞬間にデータが送信されず、所望の処理が行われない可能性がある。通常の歩行では１秒間に１〜２ｍ程度進むため、歩いたままの状態でゲートを通過する場合、０．２〜０．３秒間で処理を完了させる必要がある。したがって、ウェアラブルコンピュータ７のポーリング間隔を、数１０ｍｓｅｃ程度にする必要がある。
【０００８】
一方、ポーリング間隔を短くすると、ウェアラブルコンピュータ７の消費電力が増大し、電池の寿命が短くなるという問題がある。
【０００９】
本発明は、上記課題を解決するためになされたものであり、電界伝達媒体を介して情報の送受信を行う電界通信を用いたウォークスルーシステムにおいて、携帯端末の消費電力を抑制しつつ、ユーザが処理ゾーンを通り抜ける短時間内に、携帯端末と処理装置とがデータの送受信を確実に行うことを目的とする。
【課題を解決するための手段】
【００１０】
上記目的を達成するため、第１の本発明は、電界伝達媒体を介して通信する電界通信を用いたウォークスルーシステムであって、ユーザが携帯する携帯端末と、前記携帯端末のポーリング間隔を変更する設定装置と、送信すべき情報に基づく電界を電界伝達媒体に誘起させるとともにこの誘起した電界を検出して情報の送受信を行う第１のトランシーバと、前記第１のトランシーバに接続された処理装置と、を有し、前記ユーザは、前記設定装置が設置された設定ゾーンを通過したあと、前記処理装置および第１のトランシーバが設置された処理ゾーンに到達し、前記携帯端末は、第１のポーリング間隔で識別情報を送信する送信手段と、前記設定装置が送信する設定情報を受信して、第１のポーリング間隔を当該第１のポーリング間隔より短い第２のポーリング間隔に変更する変更手段と、送信すべき情報に基づく電界を電界伝達媒体に誘起させるとともにこの誘起した電界を検出して情報の送受信を行う第２のトランシーバと、を有し、前記設定装置は、前記携帯端末のポーリング間隔を変更させるための設定情報を、前記携帯端末に送信する設定情報送信手段と、送信すべき情報に基づく電界を電界伝達媒体に誘起させて情報の送信を行う第３のトランシーバと、を有し、前記ユーザが前記設定装置に接触することにより、前記携帯端末は、第３のトランシーバ、電界伝達媒体であるユーザ、および第２のトランシーバを介して、前記設定装置から設定情報を受信し、前記ユーザが前記第１のトランシーバに接触することにより、前記処理装置は、前記第２のトランシーバ、電界伝達媒体であるユーザ、および第１のトランシーバを介して、前記携帯端末から識別情報を受信して、当該識別情報を用いて所定の処理を実行する。
【００１１】
第２の発明は、電界伝達媒体を介して通信する電界通信を用いたウォークスルーシステムであって、ユーザが携帯する携帯端末と、前記携帯端末のポーリング間隔を変更する設定装置と、送信すべき情報に基づく電界を電界伝達媒体に誘起させるとともにこの誘起した電界を検出して情報の送受信を行う第１のトランシーバと、前記第１のトランシーバに接続された処理装置と、を有し、前記ユーザは、前記設定装置が設置された設定ゾーンを通過したあと、前記処理装置および第１のトランシーバが設置された処理ゾーンに到達し、前記携帯端末は、複数のアプリケーションを実行する業務処理手段と、前記設定装置が送信する設定情報を受信して、当該設定情報で指定されたアプリケーションを起動して前記業務処理手段に実行させるとともに、前記業務処理手段のポーリング間隔を短く変更する変更手段と、送信すべき情報に基づく電界を電界伝達媒体に誘起させるとともにこの誘起した電界を検出して情報の送受信を行う第２のトランシーバと、を有し、前記設定装置は、所定のアプリケーションを前記携帯端末に起動させるとともに、ポーリング間隔を変更させるための前記設定情報を、前記携帯端末に送信する設定情報送信手段と、送信すべき情報に基づく電界を電界伝達媒体に誘起させて情報の送信を行う第３のトランシーバと、を有し、前記ユーザが前記設定装置に接触することにより、前記携帯端末は、第３のトランシーバ、電界伝達媒体であるユーザ、および第２のトランシーバを介して、前記設定装置から設定情報を受信し、前記ユーザが前記第１のトランシーバに接触することにより、前記処理装置は、前記第２のトランシーバ、電界伝達媒体であるユーザ、および第１のトランシーバを介して、前記携帯端末と通信し、所定の処理を実行する。
【００１２】
第３の発明は、電界伝達媒体を介して通信する電界通信を用いたウォークスルーシステムにおける携帯端末であって、第１のポーリング間隔で識別情報を送信する送信手段と、設定装置が送信する設定情報を受信して、第１のポーリング間隔を当該第１のポーリング間隔より短い第２のポーリング間隔に変更する変更手段と、送信すべき情報に基づく電界を電界伝達媒体に誘起させるとともにこの誘起した電界を検出して情報の送受信を行うトランシーバと、を有し、携帯端末を携帯したユーザが前記設定装置に接触することにより、前記携帯端末は、前記設定装置が備えるトランシーバ、電界伝達媒体であるユーザ、および当該携帯端末のトランシーバを介して、前記設定装置から設定情報を受信する。
【００１３】
第４の発明は、電界伝達媒体を介して通信する電界通信を用いたウォークスルーシステムにおける携帯端末であって、複数のアプリケーションを実行する業務処理手段と、設定装置が送信する設定情報を受信して、当該設定情報で指定されたアプリケーションを起動し前記業務処理手段に実行させるとともに、前記業務処理手段のポーリング間隔を短く変更する変更手段と、送信すべき情報に基づく電界を電界伝達媒体に誘起させるとともにこの誘起した電界を検出して情報の送受信を行うトランシーバと、を有し、携帯端末を携帯したユーザが前記設定装置に接触することにより、前記携帯端末は、前記設定装置が備えるトランシーバ、電界伝達媒体であるユーザ、および当該携帯端末のトランシーバを介して、前記設定装置から設定情報を受信する。
【発明の効果】
【００１４】
本発明によれば、電界伝達媒体を介して情報の送受信を行う電界通信を用いたウォークスルーシステムにおいて、携帯端末の消費電力を抑制しつつ、ユーザが処理ゾーンを通り抜ける短時間内に、携帯端末と処理装置とがデータの送受信を確実に行うことができる。
【発明を実施するための最良の形態】
【００１５】
＜第１の実施形態＞
以下、本発明の第１の実施形態を、図面を用いて説明する。  
図１は、本発明の第１の実施形態であるウォークスルーシステムの全体構成図である。ウォークスルーシステムでは、携帯端末１を携帯したユーザが処理ゾーンを通り抜ける際に、処理ゾーンに設置された処理装置８は、携帯端末１が送信する情報を受信して所定の処理を行う。本実施形態では、処理装置８が入退出管理を行うことを例として以下説明する。
【００１６】
図示するウォークスルーシステムは、ユーザが携帯する携帯端末１と、設定ゾーンに設置された設定装置４と、処理ゾーンに設置されたトランシーバ９および当該トランシーバ９に接続された処理装置８とを有する。
【００１７】
処理ゾーンおよび設定ゾーンは、人間が歩く通路上の一定範囲の場所（エリア）である。設定ゾーンは、処理ゾーンの手前に位置し、設定装置４が携帯端末１のポーリング間隔を変更させる信号（設定条件）を送出する。
【００１８】
携帯端末１は、当該携帯端末１を携帯するユーザのユーザＩＤまたは携帯端末ＩＤなどＩＤ（識別情報）を、所定のポーリング間隔で常時、送信する。
【００１９】
図２は、携帯端末１の概略構成図である。
【００２０】
図示する携帯端末は、ＩＤ送信器２と、トランシーバ３（第２のトランシーバ）とを有する。ＩＤ送信器２は、ＩＤ送信部２１と、変更部２２と、記憶部２３とを有する。ＩＤ送信部２１は、記憶部２３にあらかじめ記憶されたＩＤを、所定の時間間隔（ポーリング間隔）で送信する。通常は、携帯端末１の電池（不図示）の寿命を長くするために、ＩＤ送信部２１は、所定の長めのポーリング間隔（例えば、数１００ｍｓｅｃ〜数秒）でＩＤを送信する。
【００２１】
変更部２２は、設定装置４が送信する信号を受信し、ＩＤ送信部２１のポーリング間隔を変更する。具体的には、変更部２２は、通常の長めのポーリング間隔を、当該ポーリング間隔より短い所定のポーリング間隔（例えば、数ｍｓｅｃ〜数１０ｍｓｅｃ）に変更する。なお、変更部２２は、所定の時間間隔（モニタリング間隔）でトランシーバ３を受信モードに切り替えて、設定装置４から送信される信号をモニタリング（監視）している。また、変更部２２は、信号を受信してから所定の時間が経過した後、短く変更したポーリング間隔を、通常時の長めのポーリング間隔に戻す。
【００２２】
トランシーバ３は、レーザ光と電気光学結晶を用いた電気光学的手法による信号検出技術を利用していて、送信すべき情報に基づく電界を電界伝達媒体である生体に誘起させ、この誘起した電界を用いて情報の送受信を行うトランシーバである。
【００２３】
例えば、トランシーバ３は、図２に示すような構成をしており、ＩＤ送信器２からの送信データ（ＩＤ）を入出力（Ｉ／Ｏ）回路９０１を介して受け取ると、この送信データを送信部９０２を介して電極９０３に供給し、当該電極９０３および絶縁膜９０４を介して電界伝達媒体に電界を誘起させ、この電界を電界伝達媒体の他の部位に伝達させる。
【００２４】
また、トランシーバ３は、電界伝達媒体に誘起されて伝達されてくる電界を絶縁膜９０４を介して電極９０３で検出し、この電界を電界検出光学部９０５に結合して電気信号に変換する。そして、この電気信号は、信号処理回路９０６で増幅、ノイズ除去などの信号処理を施され、更に波形整形回路９０７で波形整形がなされ、入出力回路９０１を介してＩＤ送信器２に出力するようになっている。
【００２５】
なお、トランシーバ３の受信部９１０において、電界検出光学部９０５の替わりに、電気的な検出回路により電界を検出することとしてもよい。
【００２６】
設定ゾーンにおいては、携帯端末１を携帯したユーザが設定ゾーンの電極９０３ａおよび絶縁膜９０４ａに接触することにより、電界伝達媒体であるユーザの人体を介して、設定装置４と携帯端末１との通信路が確立される。
【００２７】
図３は、本実施形態の設定装置４の概略構成図である。本実施形態の設定装置４は、設定条件送信器５と、トランシーバ６（第３のトランシーバ）とを有する。設定条件送信器５は、携帯端末１のポーリング間隔を短くするための所定の信号を生成し、生成した信号を所定の時間間隔で常時送信している。ポーリング間隔を短くするための信号としては、例えば、所定の回数のパルス、特定の周波数の信号、または所定のデジタル信号などを用いることが考えられる。
【００２８】
設定装置４のトランシーバ６は、レーザ光と電気光学結晶を用いた電気光学的手法による信号検出技術を利用していて、送信すべき情報に基づく電界を電界伝達媒体である生体に誘起させ、この誘起した電界を用いて情報の送信を行うトランシーバである。
【００２９】
例えば、トランシーバ６は、図３に示すような構成をしており、設定条件送信器５からの送信データ（信号）を入出力（Ｉ／Ｏ）回路９０１を介して受け取ると、この送信データを送信部９０２を介して電極９０３ａに供給し、当該電極９０３ａおよび絶縁膜９０４ａを介して電界伝達媒体に電界を誘起させ、この電界を電界伝達媒体の他の部位に伝達させる。
【００３０】
なお、本実施形態の電極９０３ａおよび絶縁膜９０４ａは、トランシーバ６本体９０１、９０２とケーブルにより接続されて、ユーザが接触可能な設定ゾーンの所定の場所（床など）に設置されているものとする。
【００３１】
処理ゾーンにおいては、携帯端末１を携帯したユーザが処理ゾーンの電極９０３ｂおよび絶縁膜９０４ｂに接触することにより、トランシーバ９および電界伝達媒体であるユーザの人体を介して、処理装置８と携帯端末１との通信路が確立される。
【００３２】
図４は、本実施形態の処理装置８とトランシーバ９の概略構成図である。
【００３３】
本実施形態の処理装置８は、携帯端末１が送信するＩＤを受信し、処理ゾーンの先にある空間（例えば、部屋、通路など）への入退室管理を行う。例えば、処理装置８の処理部８１は、携帯端末１が送信したＩＤを受信して、当該ＩＤおよび受信した時刻を記憶部８２の入退室履歴データベースに記憶し、処理ゾーンを通過したユーザを管理することが考えられる。
【００３４】
また、処理ゾーンには図示しないゲートが設置され、処理部８１は、受信したＩＤが記憶部８２に記憶された正当なＩＤの場合は、ゲートを開放するように（または、開放した状態のままに）制御してユーザを通過させ、受信したＩＤが不正なＩＤの場合は、ゲートを閉じるように制御することが考えられる。また、処理ゾーンには図示しない電子鍵を備えたドア（扉）が設置され、処理部８１は、正当なＩＤを受信した場合はドアを開錠し、不正なＩＤを受信した場合はドアを施錠したままの状態とすることが考えられる。
【００３５】
トランシーバ９は、携帯端末１のトランシーバ３と同様の構成であって、レーザ光と電気光学結晶を用いた電気光学的手法による信号検出技術を利用していて、送信すべき情報に基づく電界を電界伝達媒体である生体に誘起させ、この誘起した電界を用いて情報の送受信を行うトランシーバである。なお、トランシーバ９の受信部９１０において、電界検出光学部９０５の替わりに、電気的な検出回路により電界を検出することとしてもよい。
【００３６】
なお、本実施形態の電極９０３ｂおよび絶縁膜９０４ｂは、トランシーバ本体９０１、９０２、９０５、９０６、９０７とケーブルにより接続されて、ユーザが接触可能な処理ゾーンのいずれかの場所（床、壁、ゲート、ドアなど）に設置されているものとする。また、本実施形態では、携帯端末１へ情報を送信しないため、トランシーバは、送信部９０２を備えないこととしてもよい。
【００３７】
なお、処理装置８および携帯端末１のＩＤ送信器２は、少なくともＣＰＵと、メモリと、記憶装置と、通信制御装置と、これらの各装置を接続するバスと、を備えた汎用的なコンピュータシステムを用いることができる。このコンピュータシステムにおいて、ＣＰＵがメモリ上にロードされた所定のプログラムを実行することにより、処理装置８およびＩＤ送信器２の各機能が実現される。
【００３８】
次に、本実施形態のウォークスルーシステムの処理について説明する。
【００３９】
ユーザは、処理ゾーンに向かって通路を歩いて進むものとする。そして、処理ゾーンの数歩手前には設定ゾーンが存在し、ユーザは、必ず設定ゾーンを通過した後に、処理ゾーンに到達するものとする。
【００４０】
図５は、携帯端末１、設定装置４および処理装置８のシーケンス図である。
【００４１】
携帯端末１のＩＤ送信部２１は、設定ゾーンを通過する前の通常時においては、所定の長めのポーリング間隔（例えば、数１００ｍｓｅｃ〜数秒）でＩＤを送信している（Ｓ１１）。通常時に、長めのポーリング間隔でＩＤを送信することにより、携帯端末１の消費電力を抑え、電池の寿命を延ばすことができる。
【００４２】
また、設定装置４の設定条件送信器５は、携帯端末１のポーリング間隔を短くするための所定の信号を、常時、送信している（Ｓ１２）。なお、信号は、例えば、所定の回数のパルス、特定の周波数の信号、または所定のデジタル信号などを用いることが考えられる。
【００４３】
そして、携帯端末１を携帯したユーザが、設定ゾーンの足元等に設置された電極９０３ａおよび絶縁膜９０４ａ（以下、「電極９０３ａ等」）に接触すると、携帯端末１のＩＤ送信器２と設定装置４の設定条件送信器５との間で、トランシーバ３、電界伝達媒体であるユーザの人体、およびトランシーバ６を介した通信路が確立される。
【００４４】
そして、携帯端末１の変更部２２は、前記通信路を介して設定装置４の設定条件送信器５が送信する所定の信号を受信し、ＩＤ送信部２１のポーリング間隔を変更する（Ｓ１３）。すなわち、変更部２２は、設定装置４の信号を受信すると、通常時のポーリング間隔より短い所定のポーリング間隔（例えば、数ｍｓｅｃ〜数１０ｍｓｅｃ）に変更する。なお、変更部２２は、ポーリング間隔を短く変更した後に、さらに信号を受信した場合は、当該信号を無視し、ポーリング間隔の変更を行わない。
【００４５】
なお、設定ゾーン（すなわち、設定ゾーンの通路に設置されるトランシーバ６の電極９０３ａ等）は、ユーザが設定ゾーンを通過するまでの間に、携帯端末１の変更部２２が確実に信号を受信できるように、比較的長い距離にわたって設置されている。
【００４６】
すなわち、携帯端末１の変更部２２は、所定のモニタリング間隔でトランシーバ３を受信モードに切り替えて設定装置４が送出する信号をモニタリング（監視）しているが、携帯端末１が信号を受信する前にユーザが設定ゾーンを通り抜けることがないように、比較的長い距離にわたって設置されている。例えば、通常の歩行の速さでは１秒間に１ｍから２ｍ程度進むので、モニタリング間隔が１秒程度とした場合、数ｍ程度の長さで設定ゾーンを設置すると、携帯端末１の変更部２２は、少なくとも１回は信号を確実に受信することができる。
【００４７】
携帯端末１の変更部２２がポーリング間隔を変更した後、ＩＤ送信部２１は、短いポーリング間隔で、ＩＤを送信する（Ｓ１４）。すなわち、携帯端末１を携帯したユーザが設定ゾーンを通過すると、携帯端末１がＩＤを送信するポーリング間隔は、通常時の長いポーリング間隔から短いポーリング間隔に変更され、携帯端末１は短いポーリング間隔でＩＤを送信する。そして、設定ゾーンを通過したユーザは、その後、処理ゾーンに進む。したがって、処理ゾーンでは、携帯端末１は、短いポーリング間隔でＩＤを送信する。これにより、処理装置８は、ユーザが処理ゾーンを通り抜ける短時間の間に、携帯端末１が送信するＩＤを確実に受信することができる。
【００４８】
そして、携帯端末１を携帯したユーザが、処理ゾーンの電極９０３ｂおよび絶縁膜９０４ｂ（以下、「電極９０３ｂ等」）に接触すると、携帯端末１のＩＤ送信器２と処理装置８との間で、携帯端末１のトランシーバ３、電界伝達媒体であるユーザの人体、およびトランシーバ９を介した通信路が確立される。
【００４９】
そして、処理装置８の処理部８１は、前記通信路を介して、携帯端末１が送信したＩＤを受信し、受信したＩＤに基づいて処理ゾーンの先にある空間への入退出管理を実行する（Ｓ１５）。例えば、処理部８１は、携帯端末１が送信したＩＤを受信して、当該ＩＤおよび受信した時刻を記憶部８２の入退室履歴データベースに記憶し、処理ゾーンを通過したユーザを管理することが考えられる。
【００５０】
また、処理ゾーンには図示しないゲートが設置され、処理部８１は、受信したＩＤが記憶部８２などに記憶された正当なＩＤか否かを判別し、正当なＩＤの場合はゲートを開放するように（または、開放した状態のままに）制御してユーザを通過させ、不正なＩＤの場合は、ゲートを閉じるように制御することが考えられる。
【００５１】
また、処理ゾーンには電子鍵を備えたドアや扉（不図示）が設置され、処理部８１は、正当なＩＤを受信した場合はドア等の電子鍵を開錠するように制御し、不正なユーザＩＤの場合はドア等の電子鍵を施錠したままの状態とすることが考えられる。
【００５２】
そして、携帯端末１の変更部２２は、Ｓ１３で設定装置４から信号を受信してから所定の時間が経過した後（例えば、５秒）、Ｓ１３で変更したポーリング間隔を通常時の長めのポーリング間隔に変更する（Ｓ１６）。なお、変更部２２は、Ｓ１３でポーリング間隔を短く変更した後で、ＩＤの送信回数（ポーリング回数）をカウントし、送信回数が所定の回数に達すると、ポーリング間隔を通常時の長めのポーリング間隔に変更することとしてもよい。これにより、ユーザが処理ゾーンを通過後は、携帯端末１のＩＤ送信部２１は、通常時の長めのポーリング間隔で、ＩＤを送信する（Ｓ１７）。
【００５３】
以上説明した第１の実施形態では、通常時においては、携帯端末１の消費電力を低減して電池の寿命を長くするために、携帯端末１がＩＤを送信するポーリング間隔は長めに設定している。そして、処理ゾーンの手前の設定ゾーンにおいて、携帯端末１は、設定装置４から信号を受信し、ＩＤを送信するポーリング間隔を短く変更する。したがって、設定ゾーンの先の処理ゾーンでは、携帯端末１は短いポーリング間隔でＩＤを送信する。これにより、処理装置８は、ユーザが処理ゾーンを通り抜ける短時間の間に、携帯端末１が送信するＩＤを確実に受信し、当該ＩＤに基づいて入退出管理などの処理を適切に行うことができる。すなわち、本実施形態では、携帯端末１の消費電力を抑制しつつ、処理ゾーンの処理装置８は携帯端末１が送信するＩＤを確実に受信することができる。
【００５４】
また、本実施形態では、携帯端末１は、設定ゾーンで信号を受信してから所定の時間が経過した後（または、所定の回数ＩＤを送信した後）、短く変更したポーリング間隔を通常時の長めのポーリング間隔に戻す。これにより、携帯端末１の消費電力を低減し、電池の寿命を延ばすことができる。
【００５５】
また、本実施形態では、ユーザがポケットなどから携帯端末１を取り出して所定の操作を行うことなく、単に設定ゾーンおよび処理ゾーンを通過するだけで、携帯端末１は、設定装置４から信号を受信してポーリング間隔を短く変更し、ＩＤを確実に処理装置８に送信する。すなわち、携帯端末１を携帯したユーザが設定ゾーンおよび処理ゾーンを通過するだけで、電極９０３a等、９０３ｂ等を介して設定装置４および処理装置８と携帯端末１との間でデータの送受信が可能となる。したがって、本実施形態では、ユーザの負荷を増加させることなく、入退出管理などのウォークスルーの処理を容易に行うことができる。
【００５６】
＜第２の実施形態＞
以下、本発明の第２の実施形態を、図面を用いて説明する。
【００５７】
図６は、本発明の第２の実施形態であるウォークスルーシステムの全体構成図である。図示するウォークスルーシステムは、ユーザが携帯する携帯端末１Ａと、設定ゾーンに設置された設定装置４Ａと、処理ゾーンに設置されたトランシーバ９Ａおよび処理装置８Ａとを有する。
【００５８】
本実施形態のウォークスルーシステムでは、携帯端末１Ａが複数のアプリケーション（アプリケーションプログラム）を搭載し、複数の業務処理を実行するものとする。そのため、本実施形態のウォークスルーシステムでは、各アプリケーション用の設定ゾーンおよび処理ゾーンを有する。
【００５９】
図７は、第２の実施形態の携帯端末１Ａの概略構成図である。
【００６０】
図示する携帯端末１Ａは、コンピュータ２Ａと、トランシーバ３Ａ（第２のトランシーバ）とを有する。トランシーバ３Ａは、第１の実施形態の携帯端末１のトランシーバ３と同様である。なお、トランシーバ３Ａの受信部９１０において、電界検出光学部９０５の替わりに、電気的な検出回路により電界を検出することとしてもよい。
【００６１】
コンピュータ２Ａは、業務処理部２１Ａと、変更部２２Ａと、記憶部２３Ａとを有する。業務処理部２１Ａは、記憶部２３Ａに記憶された複数のアプリケーションプログラムを実行することにより、各種の業務処理を行う。変更部２２Ａは、設定ゾーンの設定装置４Ａが送信する設定情報を受信して、所定のアプリケーションを起動するとともに、ポーリング間隔を短く変更する。また、変更部２２Ａは、所定のタイミングで短く変更したポーリング間隔を通常時の長めのポーリング間隔に戻す。記憶部２３Ａには、複数のアプリケーションプログラムが記憶（搭載）されている。
【００６２】
なお、コンピュータ２Ａは、少なくともＣＰＵと、メモリと、記憶装置と、通信制御装置と、これらの各装置を接続するバスと、を備えた汎用的なコンピュータシステムを用いることができる。このコンピュータシステムにおいて、ＣＰＵがメモリ上にロードされた所定のプログラムを実行することにより、コンピュータ２Ａの各機能が実現される。
【００６３】
本実施形態では、図６に示すように、各アプリケーション用の設定ゾーンが、当該アプリケーション用の処理ゾーンの手前に設定されている。各設定装置４Ａは、設定条件送信器５Ａと、トランシーバ６Ａ（第３のトランシーバ）とを有する。トランシーバ６Ａは、第１の実施形態の設定装置４のトランシーバ６（図３参照）と同様である。設定条件送信器５Ａについては、信号の替わりに所定のデータが指定された設定情報を送信する点において、第１の実施形態の設定条件送信器５と異なる。設定情報に含まれるデータとしては、アプリケーションＩＤと、ポーリング間隔と、終了タイミングなどがある。
【００６４】
各アプリケーション用の処理ゾーンには、第１の実施形態（図４参照）と同様の処理装置８Ａおよびトランシーバ９Ａ（第１のトランシーバ）が設置されている。
【００６５】
次に、携帯端末１Ａに搭載された複数のアプリケーションについて説明する。
【００６６】
図８は、携帯端末１Ａに搭載された各アプリケーションと、各アプリケーションに対応するポーリング間隔および終了タイミングとの関係を説明するための表である。図示する表には、アプリケーション（ＡＰＩＤ）８１、アプリケーション名８２、携帯端末１Ａの処理概要８３、ポーリング間隔８４および終了タイミング８５が設定されている。例えば、携帯端末１Ａには、「ＡＰ１」の入退出管理処理、「ＡＰ２」の電子鍵処理、「ＡＰ３」の電子チケット入場処理、「ＡＰ４」の改札処理などが搭載されているものとする。
【００６７】
「ＡＰ１」の入退出管理処理については、当該「ＡＰ１」用の処理ゾーンの処理装置８Ａは、携帯端末１Ａが送信したＩＤを受信して、入退出の履歴を管理するなどの処理を行う。入退出管理処理は、処理ゾーンを通過する短時間の間に処理を完了させる必要がある。すなわち、処理の高速性が要求される。このため、「ＡＰ１」用の設定ゾーンの設定装置４Ａが送信する設定情報には、例えば２０ｍｓｅｃなどの短いポーリング間隔が設定されている。設定ゾーンで設定情報を受信した携帯端末１Ａは、通常時の長めのポーリング間隔を、設定情報で指定されたポーリング間隔に変更する。
【００６８】
また、入退出管理処理の場合、携帯端末１Ａ側では、処理装置８の処理が何時完了したか検知できない。このため、当該設定装置４Ａが送信する設定情報の終了タイミングには、所定の時間（例えば、５秒）、または、所定の回数（例えば、２５０回）が設定されている。設定情報を受信した携帯端末１Ａは、設定情報を受信してから当該設定情報で指定された時間が経過した後、または、設定情報を受信してから当該設定情報で指定された回数のＩＤを送信した後、通常時のポーリング間隔に戻す。
【００６９】
また、「ＡＰ２」の電子鍵処理については、当該「ＡＰ２」用の処理ゾーンの処理装置８Ａは、携帯端末１Ａが送信したＩＤを受信して、当該ＩＤが正当なＩＤか否かを判別する。そして、処理装置８Ａは、正当なＩＤの場合は処理ゾーンに設置されたドアの電子鍵を開錠し、不正なＩＤの場合は開錠しない（すなわち、施錠したままの状態とする）。なお、携帯端末１Ａが送信するＩＤは、「ＡＰ１」と同じＩＤであっても、異なるＩＤであってもよい。電子鍵処理では、電子鍵が開錠されるまでユーザはドアの前で待機している。そのため、電子鍵処理では、ＡＰ１よりは高速性が要求されない。このため、「ＡＰ２」用の設定ゾーンの設定装置４Ａが送信する設定情報には、「ＡＰ１」より長いポーリング間隔（例えば、２００ｍｓｅｃ）が設定されている。
【００７０】
また「ＡＰ３」の電子チケット入場処理については、携帯端末１Ａは、処理装置８Ａからの処理要求を受け付けて、当該携帯端末１に保持してある電子チケットを使用済みの状態し、処理終了通知を処理装置８Ａに送信する。処理装置８Ａは、処理終了通知を受け付けて、処理ゾーンに設置されたゲートの開閉を行う。電子チケット入場処理では、「ＡＰ１」と同様に処理の高速性が要求される。このため、「ＡＰ３」用の設定ゾーンの設定装置４Ａが送信する設定情報には、例えば３０ｍｓｅｃなどの短いポーリング間隔が設定されている。
【００７１】
また、電子チケット入場処理の場合、携帯端末１Ａは、処理の終了を検知することができる。このため、当該設定装置４Ａが送信する設定情報の終了タイミングには、処理終了後が設定されている。携帯端末１Ａは、処理の終了後に通常時のポーリング間隔に戻す。
【００７２】
以上説明したように、本実施形態の各設定装置４Ａは、アプリケーションＩＤとともに、当該アプリケーションに適したポーリング間隔および終了タイミングを携帯端末１Ａに送信する。
【００７３】
次に、本実施形態のウォークスルーシステムの処理について、「ＡＰ１」と「ＡＰ３」を例に以下説明する。
【００７４】
図９は、ＡＰ１（入退出管理処理）における、携帯端末１Ａ、ＡＰ１用の設定装置４Ａ、および、ＡＰ１用の処理装置８Ａのシーケンス図である。図６に示すように、携帯端末１Ａを携帯したユーザは、ＡＰ１用の処理ゾーンに向かって通路を歩いて進むものとする。そして、ＡＰ１用の処理ゾーンの数歩手前にはＡＰ１用の設定ゾーンが存在し、ユーザは、当該設定ゾーンを通過した後に、ＡＰ１用の処理ゾーンに到達するものとする。
【００７５】
また、本実施形態の携帯端末１Ａは、ＡＰ１を常時起動しているものとする。すなわち、携帯端末１Ａの業務処理部２１Ａは、記憶部２３Ａに記憶されたＡＰ１のアプリケーションプログラムを実行しているものとする。これにより、業務処理部２１Ａは、設定ゾーンを通過する前の通常時においては、所定の長めのポーリング間隔（例えば、数１００ｍｓｅｃ〜数秒）でＩＤを送信している（Ｓ２１）。通常時に、長めのポーリング間隔でＩＤを送信することにより、携帯端末１Ａの消費電力を抑え、電池の寿命を延ばすことができる。
【００７６】
また、ＡＰ１用の設定装置４Ａの設定条件送信器５Ａは、携帯端末１Ａのポーリング間隔を短くするための設定条件を送信する（Ｓ２２）。なお、当該設定装置４Ａが送信する設定条件には、アプリケーションＩＤであるＡＰ１と、ポーリング間隔（例えば、２０ｍｓｅｃ）および終了タイミング（例えば、５秒または２５０回）が含まれている。
【００７７】
そして、携帯端末１Ａを携帯したユーザが、設定ゾーンの足元などに設置された電極９０３ａ等に接触すると、携帯端末１Ａのコンピュータ２Ａと設定装置４Ａの設定条件送信器５Ａとの間で、トランシーバ３Ａ、電界伝達媒体であるユーザの人体、およびトランシーバ６Ａを介した通信路が確立される。
【００７８】
そして、携帯端末１Ａの変更部２２Ａは、前記通信路を介して設定条件送信器５Ａが送信する設定条件を受信し、業務処理部２１Ａのポーリング間隔を設定条件で指定されたポーリング間隔に変更する（Ｓ２３）。すなわち、変更部２２Ａは、設定条件を受信すると、通常時のポーリング間隔を短いポーリング間隔に変更する。
【００７９】
なお、設定ゾーン（すなわち、設定ゾーンの通路に設置されるトランシーバ６Ａの電極９０３ａ等）は、ユーザが設定ゾーンを通過するまでの間に、携帯端末１Ａの変更部２２Ａが確実に信号を受信できるように、比較的長い距離にわたって設置されている。
【００８０】
Ｓ２３により、業務処理部２１Ａは、設定情報で指定された短いポーリング間隔でＩＤを送信する（Ｓ２４）。すなわち、携帯端末１Ａを携帯したユーザが設定ゾーンを通過すると、携帯端末１Ａのポーリング間隔は短いポーリング間隔に変更され、その直後にユーザは処理ゾーンに進む。したがって、処理ゾーンでは、携帯端末１Ａは短いポーリング間隔でＩＤを送信し、これにより、処理装置８Ａは、ユーザが処理ゾーンを通り抜ける短時間の間に携帯端末１Ａが送信するＩＤを確実に受信することができる。
【００８１】
そして、携帯端末１Ａを携帯したユーザが、処理ゾーンの電極９０３ｂ等に接触すると、携帯端末１Ａのコンピュータ２Ａと処理装置８Ａとの間で、携帯端末１Ａのトランシーバ３Ａ、電界伝達媒体であるユーザの人体、およびトランシーバ９Ａを介した通信路が確立される。
【００８２】
そして、処理装置８Ａの処理部８１は、前記通信路を介して、携帯端末１Ａが送信したＩＤを受信し、当該ＩＤに基づいて処理ゾーンの先にある空間への入退出管理を実行する（Ｓ２５）。なお、入退出管理処理については、第１の実施形態と同様であるため、ここでは説明を省略する。
【００８３】
そして、携帯端末１Ａの変更部２２Ａは、Ｓ２３で受信した設定条件に指定された終了タイミング（例えば、５秒経過後、または、２５０回送信後）で、Ｓ２３で変更したポーリング間隔を通常時の長めのポーリング間隔に変更する（Ｓ２６）。これにより、処理ゾーンを通過した後は、携帯端末１Ａの業務処理部２１Ａは、通常時の長めのポーリング間隔で、ＩＤを送信する（Ｓ２７）。
【００８４】
図１０は、ＡＰ３（電子チケット入場処理）における、携帯端末１Ａ、ＡＰ３用の設定装置４Ａ、および、ＡＰ３用の処理装置８Ａのシーケンス図である。図６に示すように、携帯端末１Ａを携帯したユーザは、ＡＰ３用の処理ゾーンに向かって通路を歩いて進むものとする。そして、ＡＰ３用の処理ゾーンの数歩手前にはＡＰ３用の設定ゾーンが存在し、ユーザは、当該設定ゾーンを通過した後に、ＡＰ３用の処理ゾーンに到達するものとする。
【００８５】
携帯端末１Ａの記憶部２３Ａには、あらかじめ購入したチケット（コンサート、映画、芝居など）のチケット情報が記憶されている。チケット情報としては、例えば、コンサート名などの演目、日時、場所、座席番号、チケット番号などが考えられる。
【００８６】
また、本実施形態の携帯端末１Ａは、通常時においては、前述のＡＰ１のみが起動され、ＡＰ３は起動されていない。そのため、携帯端末１Ａの業務処理部２１Ａは、設定ゾーンを通過する前の通常時においては、所定の長めのポーリング間隔（例えば、数１００ｍｓｅｃ〜数秒）でＩＤを送信している（Ｓ３１）。通常時には、不要なアプリケーションを起動することなく、長めのポーリング間隔でＩＤを送信することにより、携帯端末１Ａの消費電力を抑え、電池の寿命を延ばすことができる。
【００８７】
また、ＡＰ３用の設定装置４Ａの設定条件送信器５Ａは、携帯端末１ＡにＡＰ３を起動させるとともにポーリング間隔を短くするための設定条件を送信する（Ｓ３２）。なお、当該設定装置４Ａが送信する設定条件には、アプリケーションＩＤであるＡＰ３と、ポーリング間隔（例えば、３０ｍｓｅｃ）と、終了タイミング（例えば、処理後）と、が含まれている。
【００８８】
そして、携帯端末１Ａを携帯したユーザが、設定ゾーンの足元などに設置された電極９０３ａ等に接触すると、携帯端末１Ａのコンピュータ２Ａと設定装置４Ａの設定条件送信器５Ａとの間で、トランシーバ３Ａ、電界伝達媒体であるユーザの人体、およびトランシーバ６Ａを介した通信路が確立される。
【００８９】
そして、携帯端末１Ａの変更部２２Ａは、前記通信路を介して設定装置４Ａの設定条件送信器５Ａが送信する設定条件を受信し、当該送信処理で指定されたアプリケーションを業務処理部２１Ａに起動させるとともに、業務処理部２１Ａのポーリング間隔を設定条件で指定された短いポーリング間隔に変更する（Ｓ３３）。処理ゾーンに到達する前の設定ゾーンにおいて、必要なアプリケーションをあらかじめ起動し、条件設定を行っておくことにより、処理ゾーンでの処理を短時間で高速に行うことができる。
【００９０】
業務処理部２１Ａは、変更部２２Ａの指示を受け付けて、記憶部２３に記憶されたＡＰ３を起動する。ＡＰ３が起動されることにより、業務処理部２１Ａは、設定情報で指定された短いポーリング間隔でトランシーバ３Ａを受信モードに切り替え、処理装置８Ａが送信する処理要求がないかチェックする（Ｓ３４）。すなわち、携帯端末１Ａを携帯したユーザが設定ゾーンを通過すると、携帯端末１ＡのＡＰ３が起動され、携帯端末１Ａは、指定された短いポーリング間隔で処理要求がないかチェックする。そして、設定ゾーンを通過したユーザは、その直後に処理ゾーンに進む。したがって、携帯端末１Ａは、ユーザが処理ゾーンを通り抜ける短時間の間に、処理装置８Ａが送信する処理要求を確実に受信することができる。
【００９１】
そして、携帯端末１Ａを携帯したユーザが、処理ゾーンの電極９０３ｂ等に接触すると、携帯端末１Ａのコンピュータ２Ａと処理装置８Ａとの間で、携帯端末１Ａのトランシーバ３Ａ、電界伝達媒体であるユーザの人体、およびトランシーバ９Ａを介した通信路が確立される。
【００９２】
そして、携帯端末１Ａの業務処理部２１Ａは、処理装置８Ａが送信した処理要求を受信する（Ｓ３５）。処理装置８Ａは、所定の時間間隔で処理要求を常に送信している。業務処理部２１Ａは、処理要求を受信するとチケット入場処理を実行する（Ｓ３６）。例えば、処理部８１Ａは、記憶部２３Ａに記憶されたチケット情報に使用済みフラグを設定して使用済みの状態にする。そして、業務処理部２１Ａは、チケットＩＤを含む処理終了通知を、前記通信路を介して処理装置８Ａに送信する（Ｓ３７）。
【００９３】
そして、携帯端末１Ａの変更部２２Ａは、Ｓ３３で受信した設定条件に指定された終了タイミングである処理終了後（Ｓ３６およびＳ３７の後）に、ＡＰ３の起動を停止し、Ｓ３３で変更したポーリング間隔を通常時の長めのポーング間隔に変更する（Ｓ３８）。これにより、処理が終了した後は、携帯端末１Ａの業務処理部２１Ａは、常時起動されているＡＰ１などの処理により、通常時の長めのポーリング間隔でＩＤを送信する。
【００９４】
一方、処理終了通知を受信した処理装置８Ａの処理部８１は、処理終了通知に含まれるチケットＩＤを認証し、認証結果に応じて処理ゾーンに設置されたゲートを開閉する（Ｓ３９）。すなわち、処理部８１は、正当なチケットＩＤの場合はゲートを開放してユーザを入場させ、不正なチケットＩＤの場合はゲートを閉じる。
【００９５】
なお、設定ソーンを通過した後に処理ゾーンに行かないで戻った場合は、処理が終了しないため、終了タイミング（処理終了後）が訪れない。すなわち、アプリケーションが起動したままの状態で、ポーリング間隔も短いままの状態となってしまう。そのため、一定の時間が経過しても、終了タイミングが訪れない場合は、アプリケーションを停止しポーリング間隔を元に戻す処理を行うこととする。
【００９６】
以上説明した第２の実施形態では、通常時においては携帯端末１Ａのポーリング間隔を長めに設定し、処理ゾーンの手前の設定ゾーンにおいて、設定装置４から設定情報を受信して携帯端末１Ａのポーリング間隔を短く変更する。これにより、携帯端末１Ａの消費電力を抑制しつつ、処理ゾーンの処理装置８Ａは、携帯端末１Ａが送信するＩＤを確実に受信、または、携帯端末１Ａに処理要求を確実に送信することができる。
【００９７】
また、本実施形態の携帯端末１は、設定ゾーンで受信した設定情報に指定された終了タイミングで、短く変更したポーリング間隔を通常時の長めのポーリング間隔に戻す。これにより、携帯端末１の消費電力を低減し、電池の寿命を延ばすことができる。
【００９８】
また、本実施形態の携帯端末１は、設定ゾーンで設定情報を受信したタイミングで、当該設定信号に指定されたアプリケーションを起動する。これにより、通常時には不要なアプリケーションを起動していないため、携帯端末１Ａの消費電力を抑え、電池の寿命を延ばすことができる。
【００９９】
また、本実施形態の携帯端末１は、処理ゾーンに到達する前の設定ゾーンにおいて、必要なアプリケーションをあらかじめ起動しておくことにより、処理ゾーンでの処理をより高速化することができる。
【０１００】
以上、本発明の各実施の形態について説明してきたが、本発明の要旨を逸脱しない範囲において、本発明の実施の形態に対して種々の変形や変更を施すことができる。例えば、第１の実施形態および第２の実施形態では、設定ゾーンの設定装置４、４Ａは、携帯端末１、１Ａのポーリング間隔を変更させるための設定条件（信号を含む）を、常時送信することとした。しかしながら、本発明はこれに限定されず、設定ゾーンに人感センサを備え、人感センサのセンシング結果に応じて、設定装置４、４Ａは信号を送信することとしてもよい。すなわち、人感センサが設定ゾーンに人が近づいてきたこと検知したタイミングで、設定装置４、４Ａは所定の時間、設定情報を送信することとしてもよい。
【０１０１】
また、第１の実施形態では、設定装置４は、設定条件として信号を送信することとした。しかしながら、第１の実施形態の設定装置４は、第２の実施形態の設定装置４Ａと同様に、ポーリング間隔などが指定された設定条件を送信することとしてもよい。
【０１０２】
また、第２の実施形態の携帯端末１Ａは、図８に示すようなアプリケーションテーブルを、記憶部２３Ａにあらかじめ記憶していることとしてもよい。この場合、設定装置４Ａが送信する設定情報には、アプリケーションＩＤのみが含まれるものとする。なお、図８のアプリケーションテーブルは一例である。例えば、アプリケーションテーブルは、アプリケーションＩＤと、アプリケーションが格納されているアドレスとの対応表であって、各アプリケーションの内部にポーリング間隔および回数がプログラミングされていることとしてもよい。
【図面の簡単な説明】
【０１０３】
【図１】本発明の第１の実施形態に係るウォークスルーシステムの全体構成図である。
【図２】第１の実施形態の携帯端末の構成図である。
【図３】第１の実施形態の設定装置の構成図である。
【図４】第１の実施形態の処理装置およびトランシーバの構成図である。
【図５】第１の実施形態のシーケンス図である。
【図６】本発明の第２の実施形態に係るウォークスルーシステムの全体構成図である。
【図７】第２の実施形態の携帯端末の構成図である。
【図８】第２の実施形態のアプリケーションを説明するための説明図である。
【図９】第２の実施形態のシーケンス図である。
【図１０】第２の実施形態のシーケンス図である。
【図１１】トランシーバを介してウェアラブルコンピュータを人間に装着して使用する場合の例を示す説明図である。
【符号の説明】
【０１０４】
１，１Ａ  携帯端末
２  ＩＤ送信器
２Ａ  コンピュータ
３，３Ａ，６，６Ａ，９，９Ａ  トランシーバ
４，４Ａ  設定装置
５，５Ａ  設定条件送信器
８，８Ａ  処理装置
９０１  Ｉ／Ｏ回路
９０２  送信部
９０３  電極
９０４  絶縁膜
９０５  電界検出光学部
９０６  信号処理回路
９０７  波形整形回路
９１０  受信部
【図１】
2008085917.tif 000003
【図２】
2008085917.tif 000004
【図３】
2008085917.tif 000005
【図４】
2008085917.tif 000006
【図５】
2008085917.tif 000007
【図６】
2008085917.tif 000008
【図７】
2008085917.tif 000009
【図８】
2008085917.tif 000010
【図９】
2008085917.tif 000011
【図１０】
2008085917.tif 000012
【図１１】
2008085917.tif 000013